(57)【要約】【課題】噴流が形成する散水領域において浴び心地を維持しつつ実水量を減少させる。【解決手段】吐水装置１００は、複数の散水孔１０を有する散水板１を備え、前記散水板１の前記散水孔１０から吐水される噴流が形成する散水領域Ａは、前記散水領域Ａの外周側に位置する第一領域Ｓ１と、前記第一領域Ｓ１の内側に位置する第二領域Ｓ２と、を有し、前記第二領域Ｓ２における単位面積当たりの流量は、前記第一領域Ｓ１における単位面積当たりの流量と比べて小さいことを特徴とする。【選択図】図１
2019170770.tif 000002
【特許請求の範囲】
【請求項１】
複数の散水孔を有する散水板を備え、
前記散水板の前記散水孔から吐水される噴流が形成する散水領域は、
前記散水領域の外周側に位置する第一領域と、
前記第一領域の内側に位置する第二領域と、
を有し、
前記第二領域における単位面積当たりの流量は、前記第一領域における単位面積当たりの流量と比べて小さいことを特徴とする、
吐水装置。
【請求項２】
前記第二領域に散水する第二領域用散水孔の少なくとも一部は、前記第一領域に散水する第一領域用散水孔と比較して開口面積が小さい、
請求項１に記載の吐水装置。
【請求項３】
前記第二領域に散水する第二領域用散水孔の本数は、前記第一領域に散水する第一領域用散水孔の本数よりも少ない、
請求項１もしくは請求項２に記載の吐水装置。
【請求項４】
前記第一領域に散水する一領域用散水孔の少なくとも一部は、同心円状に二列設けられている、
請求項１から請求項３のいずれか一項に記載の吐水装置。
【請求項５】
前記第二領域における単位面積当たり噴流の数は、前記第一領域における単位面積当たり噴流の数より少ない、
請求項１から請求項４のいずれか一項に記載の吐水装置。
【請求項６】
複数の散水孔を有する散水板を備え、
前記散水板は、
前記散水板の外周側に位置する外周部と、
前記外周部の内側に位置する中央部と、
を有し、
前記中央部における単位面積当たりの流量は、前記外周部における単位面積当たりの流量と比べて小さいことを特徴とする、
吐水装置。
【発明の詳細な説明】
【技術分野】
【０００１】
本発明は、シャワーヘッド等に設けられる吐水装置に関する。
【背景技術】
【０００２】
従来、給水された湯水を吐水する吐水装置として、複数の散水孔を有する散水板を備えたものが知られている。散水板に設けられる散水孔の寸法や数や配置を変更することで、散水板からの吐水態様を変更することができる。
【０００３】
特許文献１には、シャワー吐水の勢いを維持しつつ、シャワー吐水された水の水はねを抑制することが可能な水栓装置が記載されている。特許文献１に記載の水栓装置は、ストレート吐水する中央領域と、シャワー吐水する外周領域とを有する散水板を備え、外周領域の流量より中央領域の流量を多くすることで、外側への水はねを遮断することができる。
【先行技術文献】
【特許文献】
【０００４】
【特許文献１】特開２０１４−２１１０３６号公報
【発明の概要】
【発明が解決しようとする課題】
【０００５】
しかしながら、特許文献１に記載の吐水装置において、散水板における各散水孔の関係（散水孔の寸法や数や配置）は規定されているが、散水孔から吐水される噴流が形成する散水領域における各噴流の関係（噴流の流量や数や配置）は何も規定されていない。
また、特許文献１には、噴流が形成する散水領域において、各噴流の関係（噴流の流量や数や配置）を変更することで、浴び心地を維持しつつ実水量を減少させて節水効果を得る技術に関しては記載されていない。
【０００６】
上記事情を踏まえ、本発明は、噴流が形成する散水領域において浴び心地を維持しつつ実水量を減少させることができる吐水装置の提供を目的とする。
【課題を解決するための手段】
【０００７】
上記課題を解決するために、この発明は以下の手段を提案している。
本発明の吐水装置は、複数の散水孔を有する散水板を備え、前記散水板の前記散水孔から吐水される噴流が形成する散水領域は、前記散水領域の外周側に位置する第一領域と、前記第一領域の内側に位置する第二領域と、を有し、前記第二領域における単位面積当たりの流量は、前記第一領域における単位面積当たりの流量と比べて小さいことを特徴とする。
【０００８】
前記第二領域に散水する第二領域用散水孔の少なくとも一部は、前記第一領域に散水する第一領域用散水孔と比較して開口面積が小さくてもよい。
【０００９】
前記第二領域に散水する第二領域用散水孔の本数は、前記第一領域に散水する第一領域用散水孔の本数よりも少なくてもよい。
【００１０】
前記第一領域に散水する第一領域用散水孔の少なくとも一部は、同心円状に二列設けられていてもよい。
【００１１】
前記第二領域における単位面積当たり噴流の数は、前記第一領域における単位面積当たり噴流の数より少なくてもよい。
【００１２】
本発明の吐水装置は、複数の散水孔を有する散水板を備え、前記散水板は、前記散水板の外周側に位置する外周部と、前記外周部の内側に位置する中央部と、を有し、前記中央部における単位面積当たりの流量は、前記外周部における単位面積当たりの流量と比べて小さくてもよい。
【発明の効果】
【００１３】
本発明の吐水装置によれば、噴流が形成する散水領域において浴び心地を維持しつつ実水量を減少させることができる。
【図面の簡単な説明】
【００１４】
【図１】本発明の第一実施形態に係る吐水装置の斜視図である。
【図２】同吐水装置の散水板の平面図である。
【図３】同吐水装置の散水孔から吐水される噴流が形成する散水領域を示す図である。
【図４】本発明の第二実施形態に係る吐水装置の斜視図である。
【図５】同吐水装置の散水板の平面図である。
【図６】同吐水装置の散水孔から吐水される噴流が形成する散水領域を示す図である。
【図７】本発明の第三実施形態に係る吐水装置の斜視図である。
【発明を実施するための形態】
【００１５】
（第一実施形態）
本発明の第一実施形態について、図１から図３を参照して説明する。本実施形態における「流体」は、「湯または水などの液体」を示している。
図１は、本実施形態に係る吐水装置１００の斜視図である。
【００１６】
吐水装置１００は、図１に示すように、ハンドシャワーであり、散水板１と、シャワーヘッド２と、を備えている。
【００１７】
散水板１は、直径が９０〜１３０ｍｍである円盤形状に形成されており、板厚方向に貫通する複数の散水孔１０を備えている。吐水装置１００は複数の散水孔１０から流体をシャワー状に吐水する。以降の説明において、散水板１の円盤形状における径方向の中心を「中心Ｏ」とする。
【００１８】
図２は、散水板１の平面図である。
散水板１は、図２に示すように、外周側に位置する外周部１１と、外周部１１の内側に形成された中央部１２と、を有している。複数の散水孔１０は、外周部１１および中央部１２の両方に形成されている。
【００１９】
外周部１１に形成された散水孔１０である外周部散水孔１０ａは、中心Ｏを中心とした同心円状に二列設けられている。外周部散水孔１０ａは、外側の列に所定のピッチで１５個設けられており、内側の列に所定のピッチで１５個設けられている。外周部散水孔１０ａは、合計で３０個設けられている。
【００２０】
中央部１２に形成された散水孔１０である中央部散水孔１０ｂは、中心Ｏを中心とした同心円状に二列設けられている。中央部散水孔１０ｂは、外側の列に所定のピッチで７個設けられており、内側の列に所定のピッチで３個設けられている。中央部散水孔１０ｂは、合計で１０個設けられている。
【００２１】
シャワーヘッド２は、図１に示すように、持手部２１と、持手部２１の基端に形成された取付部２２と、持手部２１の先端に形成されたシャワーヘッド本体２３と、を備えている。シャワーヘッド２は、プラスチックなどにより、散水板１と一体成形されていてもよい。
【００２２】
持手部２１は、略円柱状に形成されており、片手で掴んで支持しやすい。持手部２１の内部には、持手部２１の長手方向に沿って流路が形成されている。
【００２３】
取付部２２は、不図示のシャワーホースと連結するための雄ネジ２２ａを有する。また、取付部２２は、シャワーホースを経由して供給される流体を流路に取り込む取付部開口２２ｂを有する。
【００２４】
シャワーヘッド本体２３は、散水板１を該散水板１の外周に沿って支持する。シャワーヘッド本体２３には、取付部開口２２ｂから繋がった流路が形成されている。流路を通過した流体は、複数の散水孔１０からシャワー状に吐水される。
【００２５】
図３は、散水孔１０から吐水される噴流が形成する散水領域Ａを示す図である。
散水領域Ａは、散水板１からの距離Ｄが１５〜５０ｃｍの範囲に位置している。この範囲は、吐水装置１００からシャワー状に吐水される噴流を使用者が浴びる位置として最適な範囲である。
【００２６】
散水領域Ａは、散水領域Ａの外周側に位置する第一領域Ｓ１と、第一領域Ｓ１の内側に位置する第二領域Ｓ２と、を有する。第一領域Ｓ１は、外周部１１の外周部散水孔１０ａから吐水される噴流が形成する領域である。第二領域Ｓ２は、中央部１２の中央部散水孔１０ｂから吐水される噴流が形成する領域である。図１に示すように、散水板１から吐水される噴流は水平方向に広がるため、散水領域Ａの第一領域Ｓ１は、散水板１の外周部１１よりも広い。また、散水領域Ａの第二領域Ｓ２は、散水板１の中央部１２よりも広い。
【００２７】
図３に示すように、第一領域Ｓ１の外周は半径がｒ１の略円形状であり、第二領域Ｓ２の外周は半径がｒ２の略円形状である。ここで、ｒ１はｒ２の約２倍である。
第二領域Ｓ２の面積は、約π（ｒ２）２である。一方、第一領域Ｓ１の面積は、約π（ｒ１）２―約π（ｒ２）２から約３π（ｒ２）２であり、第二領域Ｓ２の面積の約３倍である。
【００２８】
第一領域Ｓ１には、３０個の外周部散水孔１０ａから吐水される３０個の噴流Ｆ１が形成されている。第二領域Ｓ２には、１０個の中央部散水孔１０ｂから吐水される１０個の噴流Ｆ２が形成されている。
なお、外周部散水孔１０ａから吐水された噴流Ｆ１は、実際に使用者に着水すると図３に示す噴流ＲＦ１のように水平方向に広がっている。図３においては便宜上、水平方向に広がっていない噴流Ｆ１および噴流Ｆ２が図示されている。
【００２９】
ここで、第一領域Ｓ１の噴流Ｆ１および第二領域Ｓ２の噴流Ｆ２は、図３に示すように、中心が同一である複数の同心円上に配置されている。複数の同心円は等間隔に並んでいる。また、噴流Ｆ１および噴流Ｆ２は各同心円上において等間隔に配置されているため、噴流Ｆ１および噴流Ｆ２は散水領域Ａにおいて略均一に配置されている。吐水していない領域が生じないため、散水領域Ａに噴流のムラが抑制され、浴び心地が向上する。
【００３０】
本実施形態において、第一領域用散水孔は、外周部散水孔１０ａである。また、第二領域用散水孔は、中央部散水孔１０ｂである。
【００３１】
第一領域Ｓ１の面積は第二領域Ｓ２の面積の約３倍であるため、第一領域Ｓ１と第二領域Ｓ２は、単位面積当たりの噴流の数はほぼ同じである。
【００３２】
散水板１からの距離Ｄだけ離れた散水領域Ａにおいて、第二領域Ｓ２の噴流Ｆ２の径寸法ｄ２は、第一領域Ｓ１の噴流Ｆ１の径寸法ｄ１より小さい。そのため、第二領域Ｓ２における単位面積当たりの流量は、第一領域Ｓ１における単位面積当たりの流量と比べて小さい。
【００３３】
ここで、中央部散水孔１０ｂの開口面積を外周部散水孔１０ａの開口面積より小さくすることで、径寸法ｄ２を径寸法ｄ１より小さくしてもよい。例えば、外周部散水孔１０ａの円形開口の径寸法を１．０ｍｍ〜１．２ｍｍとし、中央部散水孔１０ｂの円形開口の径寸法を０．８〜１．０ｍｍとする。さらに、外周部散水孔１０ａと中央部散水孔１０ｂとは、散水領域Ａにおける第一領域Ｓ１の噴流Ｆ１と第二領域Ｓ２の噴流Ｆ２と、径寸法や配置等が同じ相関関係であってもよい。
【００３４】
具体的には、外周部１１と中央部１２との面積比は、第一領域Ｓ１と第二領域Ｓ２との面積比と同様、約３対１としてもよい。この場合、外周部散水孔１０ａは３０個、中央部散水孔１０ｂは１０個であるので、外周部１１と中央部１２は、単位面積当たりの散水孔の数はほぼ同じとなる。中央部散水孔１０ｂの開口面積は、外周部散水孔１０ａの開口面積より小さいため、中央部１２における単位面積当たりの流量は、外周部１１における単位面積当たりの流量と比べて小さくなる。その結果、第二領域Ｓ２における単位面積当たりの流量を、第一領域Ｓ１における単位面積当たりの流量と比べて小さくすることができる。
【００３５】
第一領域Ｓ１の噴流Ｆ１でシャワー吐水を浴びた使用者は、噴流Ｆ１の十分な流量により広い浴び心地を感じることができる。一方、第二領域Ｓ２は、単位面積当たりの流量が第一領域Ｓ１と比較して小さい。しかしながら、第二領域Ｓ２は、第一領域Ｓ１と比較して、使用者にとって噴流の流量や噴流の広がりを感じにくい領域である。そのため、第二領域Ｓ２の単位面積当たりの流量を少なくしても、使用者はシャワー吐水全体の流量の減少を感じにくい。
その結果、吐水装置１００は、噴流が形成する散水領域Ａにおいて広い浴び心地を維持しつつ実水量を減少させることができる。
【００３６】
第一領域Ｓ１に散水する外周部散水孔１０ａは、外周部１１において同心円状に二列設けられているため、第二領域Ｓ２における使用者の浴びる領域が広くなり、しっかりとした浴び心地を感じることができる。
【００３７】
なお、第二領域Ｓ２の単位面積当たりの流量を小さくしすぎると、使用者が、第二領域Ｓ２の噴流Ｆ２が「中抜け」していると感じる場合がある。そのため、第二領域Ｓ２の単位面積当たりの流量は、第一領域Ｓ１の単位面積当たりの流量の約半分以上であることが望ましい。また、第二領域Ｓ２の流量は、全吐水流量の１０％〜３０％であることがより望ましい。
【００３８】
本実施形態の吐水装置１００によれば、噴流が形成する散水領域Ａにおいて広い浴び心地を維持しつつ実水量を減少させることができる。
【００３９】
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および以下で示す変形例において示した構成要素は適宜に組み合わせて構成することが可能である。
【００４０】
（変形例１）
例えば、上記実施形態では、散水孔１０は、外周部１１と中央部１２のいずれにおいても、同心円状に二列設けられていたが、散水孔の配置はこれに限定されない。散水孔１０は一列に設けられていてもよい。また、散水孔は同心円状に三列設けられていてもよい。また、散水孔は不規則な並びで設けられていてもよい。噴流が形成する散水領域において、第二領域Ｓ２における単位面積当たりの流量が、第一領域Ｓ１における単位面積当たりの流量と比べて小さければよい。
【００４１】
（変形例２）
例えば、上記実施形態では、噴流Ｆ１および噴流Ｆ２は、図３に示すように、中心が同一である複数の同心円上に等間隔に配置され、複数の同心円は等間隔に並んでいたが、散水領域Ａの噴流の態様はこれに限定されない。第二領域Ｓ２における単位面積当たりの流量が、第一領域Ｓ１における単位面積当たりの流量と比べて小さければ、散水領域Ａの噴流は、同心円上に等間隔に配置されていなくてもよく、複数の同心円は等間隔に並んでいなくてもよい。
【００４２】
（変形例３）
例えば、上記実施形態では、第二領域Ｓ２の噴流Ｆ２はすべてが径寸法ｄ２であったが、第二領域の噴流の態様はこれに限定されない。第二領域の噴流の少なくとも一部の径寸法が、第一領域Ｓ１の噴流Ｆ１の径寸法ｄ１より小さければ、第二領域Ｓ２における単位面積当たりの流量が、第一領域Ｓ１における単位面積当たりの流量と比べて小さくなる。
【００４３】
（変形例４）
例えば、上記実機形態において、第一領域Ｓ１の単位面積当たりの噴流の数と、第二領域Ｓ２の単位面積当たりの噴流の数は、ほぼ同じであったが、噴流の数はこれに限定されない。第二領域Ｓ２における単位面積当たり噴流の数は、第一領域Ｓ１における単位面積当たり噴流の数より少なくてもよい。より好適に第二領域Ｓ２における単位面積当たりの流量を、第一領域Ｓ１における単位面積当たりの流量と比べて小さくすることができる。
【００４４】
（変形例５）
例えば、上記実施形態では、吐水装置１００はハンドシャワーであったが、吐水装置の態様はこれに限定されない。シャワー装置は、オーバーヘッドシャワーであってもよい。この場合、散水領域Ａは、散水板１からの距離Ｄが４０〜７０ｃｍの範囲に設定することが望ましい。
【００４５】
（変形例６）
例えば、上記実施形態では、散水板１の外周は円形であるため、散水領域Ａの外周は円形であった、しかしながらこれらの外周形状はこれに限定されてない。散水板の外周は四角形状等の多角形形状であってもよい。この場合、散水領域Ａの外周も多角形形状となる。さらに、散水板の外周は多角形形状以外の他の形状、例えばひょうたん形状、であってもよい。
【００４６】
（変形例７）
例えば、上記実施形態では、散水領域Ａにおいて、第一領域Ｓ１の半径ｒ１は第二領域Ｓ２の半径ｒ２の約２倍であり、第一領域Ｓ１と第二領域Ｓ２との境界は半径ｒ１の半分の位置となっているが、第一領域と第二領域の態様はこれに限定されない。第一領域Ｓ１と第二領域Ｓ２との境界は、半径ｒ１の半分の位置より外側の位置が好ましい。
【００４７】
（第二実施形態）
本発明の第二実施形態について、図４から図６を参照して説明する。以降の説明において、既に説明したものと共通する構成については、同一の符号を付して重複する説明を省略する。第二実施形態に係る吐水装置１００Ｂは、第一実施形態に係る吐水装置１００と比較して、第二領域Ｓ２の噴流Ｆ２の態様が異なる。
【００４８】
図４は、本実施形態に係る吐水装置１００Ｂの斜視図である。吐水装置１００は、ハンドシャワーであり、散水板１Ｂと、シャワーヘッド２と、を備えている。
【００４９】
図５は、散水板１の平面図である。
散水板１は、外周側に位置する外周部１１と、外周部１１の内側に形成された中央部１２Ｂと、を有している。
【００５０】
中央部１２Ｂに形成された散水孔１０である中央部散水孔１０ｂは、中心Ｏを中心とした同心円状に一列設けられている。中央部散水孔１０ｂは、一列に所定のピッチで５個設けられている。
【００５１】
図６は、散水孔１０から吐水される噴流が形成する散水領域Ａを示す図である。
散水領域Ａは、散水板１からの距離Ｄが１５〜５０ｃｍの範囲に位置している。この範囲は、吐水装置１００からシャワー状に吐水される噴流を使用者が浴びる位置として最適な範囲である。
【００５２】
第一領域Ｓ１には、外周部１１に形成された３０個の外周部散水孔１０ａから吐水される３０個の噴流Ｆ１が形成されている。第二領域Ｓ２には、中央部１２Ｂに形成された５個の中央部散水孔１０ｂから吐水される５個の噴流Ｆ２が形成されている。
【００５３】
本実施形態において、第一領域用散水孔は、外周部散水孔１０ａである。また、第二領域用散水孔は、中央部散水孔１０ｂである。
【００５４】
第一領域Ｓ１の面積は、第一実施形態同様、第二領域Ｓ２の面積の約３倍であるため、第二領域Ｓ２の単位面積当たりの噴流の数は、第一領域Ｓ１の単位面積当たりの噴流の数より少ない。
【００５５】
散水板１からの距離Ｄだけ離れた散水領域Ａにおいて、第二領域Ｓ２の噴流Ｆ２の径寸法ｄ２が、第一領域Ｓ１の噴流Ｆ１の径寸法ｄ１より小さければ、第二領域Ｓ２における単位面積当たりの流量は、第一領域Ｓ１における単位面積当たりの流量と比べて小さい。径寸法ｄ１と径寸法ｄ２とが同じであっても、第二領域Ｓ２における単位面積当たりの流量は、第一領域Ｓ１における単位面積当たりの流量と比べて小さい。
【００５６】
本実施形態の吐水装置１００Ｂによれば、噴流が形成する散水領域Ａにおいて広い浴び心地を維持しつつ実水量を減少させることができる。
【００５７】
以上、本発明の第二実施形態について図面を参照して詳述したが、具体的な構成はこの実施形態に限られるものではなく、本発明の要旨を逸脱しない範囲の設計変更等も含まれる。また、上述の第二実施形態および第一実施形態で示す変形例および以下で示す実施形態において示した構成要素は適宜に組み合わせて構成することが可能である。
【００５８】
（第三実施形態）
本発明の第三実施形態について、図７を参照して説明する。以降の説明において、既に説明したものと共通する構成については、同一の符号を付して重複する説明を省略する。第三実施形態に係る吐水装置１００Ｃは、第一実施形態に係る吐水装置１００と比較して、第一領域Ｓ１の噴流Ｆ１の態様が異なる。
【００５９】
図７は、本実施形態に係る吐水装置１００Ｃの斜視図である。吐水装置１００Ｃは、ハンドシャワーであり、散水板１Ｃと、シャワーヘッド２と、を備えている。
【００６０】
散水板１Ｃは、外周側に位置する外周部１１と、外周部１１の内側に形成された中央部１２Ｃと、を有している。
【００６１】
中央部１２Ｃに形成された散水孔１０である中央部散水孔１０ｂは、中心Ｏを中心とした同心円状に二列設けられている。中央部散水孔１０ｂは、外側の列に所定のピッチで７個設けられており、内側の列に所定のピッチで３個設けられている。中央部散水孔１０ｂは、合計で１０個設けられている。
【００６２】
散水領域Ａは、散水領域Ａの外周側に位置する第一領域Ｓ１と、第一領域Ｓ１の内側に位置する第二領域Ｓ２と、を有する。
第一領域Ｓ１は、外周部１１の外周部散水孔１０ａから吐水される噴流と、中央部１２Ｃの中央部散水孔１０ｂの「外側」の列から吐水される噴流と、が形成する領域である。
第二領域Ｓ２は、中央部１２Ｃの中央部散水孔１０ｂの「内側」の列から吐水される噴流が形成する領域である。
【００６３】
本実施形態において、第一領域用散水孔は、外周部散水孔１０ａと、「外側」の列の中央部散水孔１０ｂである。また、第二領域用散水孔は、「内側」の列の中央部散水孔１０ｂである。
【００６４】
中央部１２の中央部散水孔１０ｂのから吐水される噴流の一部を第一領域Ｓ１に吐水されるようにすることで、第二領域Ｓ２における単位面積当たりの流量を第一領域Ｓ１における単位面積当たりの流量と比べて小さくすることができる。
【００６５】
本実施形態の吐水装置１００Ｃによれば、噴流が形成する散水領域Ａにおいて広い浴び心地を維持しつつ実水量を減少させることができる。
【００６６】
以上、本発明の第三実施形態について図面を参照して詳述したが、具体的な構成はこの実施形態に限られるものではなく、本発明の要旨を逸脱しない範囲の設計変更等も含まれる。また、上述の第三実施形態、第二実施形態および第一実施形態で示す変形例において示した構成要素は適宜に組み合わせて構成することが可能である。
【符号の説明】
【００６７】
１００，１００Ｂ，１００Ｃ  吐水装置
１，１Ｂ，１Ｃ  散水板
２      シャワーヘッド
１０    散水孔
１０ａ  外周部散水孔
１０ｂ  中央部散水孔
１１    外周部
１２，１２Ｂ，１２Ｃ  中央部
２１    持手部
２２    取付部
２２ａ  雄ネジ
２２ｂ  取付部開口
２３    シャワーヘッド本体
【図１】
2019170770.tif 000003
【図２】
2019170770.tif 000004
【図３】
2019170770.tif 000005
【図４】
2019170770.tif 000006
【図５】
2019170770.tif 000007
【図６】
2019170770.tif 000008
【図７】
2019170770.tif 000009